(57)【要約】【課題】  オブジェクトのサイズの変更に関し、機能性の向上による情報処理装置の使い勝手の向上を図る。【解決手段】  各種の情報を有する表示画面５が表示されるディスプレイ３を有し表示画面の解像度の変更が可能とされた情報処理装置１において、ディスプレイに表示され操作対象となるオブジェクト６、６、・・・のサイズの変更を可能とし、表示画面の各解像度ごとにオブジェクトのサイズの設定を可能とした。【選択図】図３
2005316828.tif 000002
【特許請求の範囲】
【請求項１】
各種の情報を有する表示画面が表示されるディスプレイを有し表示画面の解像度の変更が可能とされた情報処理装置であって、
ディスプレイに表示され操作対象となるオブジェクトのサイズの変更が可能とされ、
表示画面の各解像度ごとにオブジェクトのサイズの設定が可能とされた
ことを特徴とする情報処理装置。
【請求項２】
表示画面の各解像度ごとの上記オブジェクトのサイズの設定がされていない場合に、表示画面の各解像度ごとに定められたサイズのオブジェクトが表示される
ことを特徴とする請求項１に記載の情報処理装置。
【請求項３】
各種の情報を有する表示画面が表示されるディスプレイを有し表示画面の解像度の変更が可能とされた情報処理装置における処理プログラムであって、
表示画面の解像度を変更する解像度変更工程と、
変更された表示画面の解像度ごとにオブジェクトのサイズを設定するサイズ設定工程と、
設定されたサイズでオブジェクトをディスプレイに表示するオブジェクト表示工程とを備えた
ことを特徴とする情報処理装置における処理プログラム。
【発明の詳細な説明】
【技術分野】
【０００１】
本発明は情報処理装置及び情報処理装置における処理プログラムについての技術分野に関する。詳しくは、表示画面の各解像度ごとにオブジェクトのサイズの設定を可能とし、機能性の向上による情報処理装置の使い勝手の向上を図る技術分野に関する。
【背景技術】
【０００２】
パーソナルコンピューターに代表される情報処理装置は、一般に、ディスプレイを有し、このディスプレイに各種の情報を有する表示画面が表示される。ディスプレイには、使用者が操作する操作対象となるオブジェクト、例えば、ファイルやソフトウェアや実行可能な機能等を図柄で表現したアイコン、ウインドウをスクロールするための操作領域となるスクロールバー、起動中のアプリケーションや開かれているファイル等の表題を示すタイトルバー、各種のメニューを表示するメニューバー等が表示される。
【０００３】
一方、情報処理装置には、使用者における使い勝手の向上の観点から、ディスプレイに表示される表示画面の解像度を変更し、表示画面のサイズを変更することができるものがある（例えば、特許文献１参照）。
【０００４】
【特許文献１】特開２００３−２５６１８６号公報
【発明の開示】
【発明が解決しようとする課題】
【０００５】
ところで、表示画面の解像度が変更された場合には、ディスプレイに表示されるオブジェクトも表示画面に合わせたサイズに変更しなければ、見た目に違和感が生じ、オブジェクトに対する操作も行い難い場合がある。
【０００６】
ところが、表示画面の解像度を変更することができる従来の情報処理装置にあっては、使用者が表示画面の解像度を変更したときに、アイコン等のオブジェクトのサイズは変更されないため、オブジェクトのサイズの変更を行いたい場合には、使用者自身が解像度の変更操作とは別の操作を行ってオブジェクトのサイズを変更する必要があった。
【０００７】
従って、使用者は、見易さを考慮して、解像度が変更された表示画面に合わせたサイズにオブジェクトを変更したい場合には、その都度、表示画面の解像度の変更操作とは別の操作としてオブジェクトのサイズの変更操作を行わなければならず、手間がかかり、使い勝手が悪いという不都合を生じていた。
【０００８】
そこで、本発明情報処理装置及び情報処理装置における処理プログラムは、上記した問題点を克服し、オブジェクトのサイズの変更に関し、機能性の向上による情報処理装置の使い勝手の向上を図ることを課題とする。
【課題を解決するための手段】
【０００９】
本発明情報処理装置は、上記した課題を解決するために、ディスプレイに表示され操作対象となるオブジェクトのサイズの変更を可能とし、表示画面の各解像度ごとにオブジェクトのサイズの設定を可能としたものである。
【００１０】
本発明情報処理装置における処理プログラムは、上記した課題を解決するために、表示画面の解像度を変更する解像度変更工程と、変更された表示画面の解像度ごとにオブジェクトのサイズを設定するサイズ設定工程と、設定されたサイズでオブジェクトをディスプレイに表示するオブジェクト表示工程とを設けた。
【００１１】
従って、本発明情報処理装置及び情報処理装置における処理プログラムにあっては、表示画面の各解像度ごとに設定されたサイズのオブジェクトが表示画面の解像度の変更時にディスプレイに表示される。
【発明の効果】
【００１２】
本発明情報処理装置は、各種の情報を有する表示画面が表示されるディスプレイを有し表示画面の解像度の変更が可能とされた情報処理装置であって、ディスプレイに表示され操作対象となるオブジェクトのサイズの変更が可能とされ、表示画面の各解像度ごとにオブジェクトのサイズの設定が可能とされたことを特徴とする。
【００１３】
従って、表示画面の解像度の変更時の都度、表示画面の解像度の変更操作とは別の操作を行ってオブジェクトのサイズの変更を行う必要がなく、見た目に違和感のない適正なサイズのオブジェクトを手間をかけずにディスプレイに表示することができ、情報処理装置の使い勝手の向上を図ることができる。
【００１４】
請求項２に記載した発明にあっては、表示画面の各解像度ごとの上記オブジェクトのサイズの設定がされていない場合に、表示画面の各解像度ごとに定められたサイズのオブジェクトが表示されるので、使用者によるオブジェクトの設定操作を省略することができる。
【００１５】
本発明情報処理装置における処理プログラムは、各種の情報を有する表示画面が表示されるディスプレイを有し表示画面の解像度の変更が可能とされた情報処理装置における処理プログラムであって、表示画面の解像度を変更する解像度変更工程と、変更された表示画面の解像度ごとにオブジェクトのサイズを設定するサイズ設定工程と、設定されたサイズでオブジェクトをディスプレイに表示するオブジェクト表示工程とを備えたことを特徴とする。
【００１６】
従って、表示画面の解像度の変更時の都度、表示画面の解像度の変更操作とは別の操作を行ってオブジェクトのサイズの変更を行う必要がなく、見た目に違和感のない適正なサイズのオブジェクトを手間をかけずにディスプレイに表示することができ、情報処理装置の使い勝手の向上を図ることができる。
【発明を実施するための最良の形態】
【００１７】
以下に、本発明情報処理装置及び情報処理装置における処理プログラムの最良の形態を添付図面に従って説明する。
【００１８】
尚、本発明情報処理装置は、パーソナルコンピューター等の情報処理装置、ＰＤＡ（Personal Digital Assistant）、ネットワーク端末、携帯情報端末、ワークステーション、携帯電話等の各種の情報処理装置に広く適用することができ、本発明処理プログラムは、これらの各種の情報処理装置における処理プログラムに広く適用することができる。
【００１９】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００２０】
情報処理装置１にあっては、ディスプレイ３がタッチパネル（タブレット）とされており、ディスプレイ３に表示された表示画面の所定の位置を指や図示しない専用の入力ペン（スタイラス）によってタップすることにより選択操作や入力操作等の各種の操作を行うことができる。
【００２１】
図２は、情報処理装置のハードウェア構成例を示したものであり、装置本体部１００及び外部機器との接続用装置（インターフェース装置）２００を示している。
【００２２】
先ず、装置本体部１００内の構成について説明する。
【００２３】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、制御装置１０４、液晶表示デバイス等のグラフィック表示装置１０５（上記ディスプレイ３と同じ）が接続されている。
【００２４】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００２５】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、装置本体部１００への着脱が可能な半導体メモリ装置、例えば、スティック状のメモリ媒体のデータを読み書きするための制御用デバイス１０８や、カード型の記憶媒体の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００２６】
制御装置１０４には、ＬＡＮ（Local Area Network）用の接続用デバイス１１０が接続されるとともに、タッチ式パネル等を用いた入力用デバイス１１１がＵＳＢ（Universal Serial Bus）ポートに接続されている。
【００２７】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００２８】
また、制御装置１０４に接続されているオーディオ信号処理部（Audio Codec）１１３は、ディジタル−アナログ変換されたオーディオ信号を、例えば、スピーカ１１４やヘッドフォン１１５に送出して音声を出力する。あるいは、マイクロフォンを備えた装置形態では、音声入力データをディジタル化する処理等を行う。
【００２９】
記憶装置１１６には、コンピュータを動作させるための制御プログラム等が格納されており、ＬＰＣ(Low Pin Count：シリアルバス）等を用いて制御装置１０４、１１７に接続されている。
【００３０】
制御装置１１７は、各種の信号の制御を行う汎用装置であり、例えば、「ＥＣ」（Embedded Controller：組み込みコントローラ）が用いられ、キーボードコントローラの機能や、システムの電源制御やシステムの付加機能等についての制御を行う（携帯型機器等ではマイクロコンピュータが搭載されている。）。尚、記憶装置１１６内の制御プログラムを変更することによってコンピュータの制御方法を変えることができる。
【００３１】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、装置本体部１００に設けられたスイッチや操作釦等を含む操作部１１９からの信号が制御装置１１７に送出される。
【００３２】
装置本体部１００に外部機器を直接的に接続するための接続部１２０としては、ＵＳＢコネクタが設けられており、接続部１２０は制御装置１１７に接続されている。
【００３３】
尚、図示しない電源部には、ＡＣアダプタからの商用電源電圧の供給、あるいは二次電池や燃料電池等を用いたバッテリパックからの直流電源供給が行われる。例えば、上記ＥＣ（制御装置１１７）は、ＡＣアダプタやバッテリパック等の接続や装着の状態を検出したり、バッテリ残量等を含む各種の管理情報を保持している。
【００３４】
次に、接続用装置２００の構成について説明する。
【００３５】
装置本体部１００については、コネクタ等の接続手段を介して接続用装置２００に接続することにより、図示しない外部機器との間で信号伝送が行われる。
【００３６】
ＶＧＡ(Video Grapthics Array)コネクタ等で外部の表示装置を接続するためのコネクタ部２０１は、装置本体部１００内の制御装置１０２に接続され、これにより外部ディスプレイ装置に対して画像信号等が出力される。
【００３７】
また、「IEEE 1394」規格に準拠した外部機器等を接続するためのコネクタ部２０２が、装置本体部１００内の上記デバイス１０７に接続され、ＬＡＮケーブル等を接続するためのコネクタ部２０３が装置本体部１００内の上記デバイス１１０に接続されるようになっている。
【００３８】
装置本体部１００内の制御装置１０４に接続される集線用デバイス２０４には、ＵＳＢハブが用いられ、本例では、接続用装置２００に４つのＵＳＢコネクタ２０５、２０５、…が付設され、各ＵＳＢコネクタ２０５、２０５、・・・が集線用デバイス２０４（ＵＳＢハブ）に接続されている。
【００３９】
筐体２の所定の位置には、複数の操作釦４、４、・・・が設けられている。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００４０】
センター釦４ａ、左釦４ｂ、右釦４ｃはそれぞれマウスの各釦に相当する釦であり、ズーム釦４ｄはディスプレイ３に表示される表示画面５の拡大縮小、即ち、解像度の変更を行う釦であり、ローテーション釦４ｅは表示画面５を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示されるポインターを移動させる等の釦であり、ファンクション選択釦４ｉは出力される音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００４１】
情報処理装置１には、筐体２の側面２ｂ外部機器を接続するためのコネクター４ｌが設けられている。
【００４２】
ディスプレイ３には、使用者の操作によって所望の表示画面５が表示される（図３参照）。表示画面５は、情報処理装置１に実装された各ソフトウェアを実行することにより表示され、例えば、図３に示すように、文字情報、数字情報、記号情報等を入力することのできる表示画面５が表示される。このような表示画面５の表示は、例えば、情報処理装置１の電源投入後に表示される初期画面上に表示されるソフトウェアを実行するための各アイコンを、指や専用の入力ペンによって２回連続してタップしダブルクリックすることにより行われる。
【００４３】
表示画面５上には、使用者が操作する操作対象となるオブジェクト６、６、・・・、例えば、図３に示すように、ファイルやソフトウェアや実行可能な機能等を図柄で表現したアイコン６ａ、６ａ、・・・、ウインドウをスクロールするための操作領域となるスクロールバー６ｂ、６ｂ、起動中のアプリケーションや開かれているファイル等の表題を示すタイトルバー６ｃ、各種のメニューを表示するメニューバー６ｄ等が表示される。
【００４４】
情報処理装置１にあっては、上記したように、ディスプレイ３に表示される表示画面５のサイズをズーム釦４ｄを操作することにより変更することができる。解像度としては、例えば、５段階を有しており、６４０×４８０ドット（ＶＧＡ）、８００×６００ドット（ＳＶＧＡ）、１０２４×７６８ドット（ＸＧＡ）、１２８０×１０２４ドット（ＳＸＧＡ）及び１２００×１６００ドット（ＵＸＧＡ）が存在する。
【００４５】
ズーム釦４ｄを操作すると、図４に示すように、解像度選択フレーム７がディスプレイ３に表示され、解像度選択フレーム７に表示される所望の解像度を選択することにより表示画面５のサイズが変更される。尚、ズーム釦４ｄを操作し、解像度選択フレーム７がディスプレイ３に表示された状態において、何れの解像度も選択しなかった場合には、自動的に、例えば、ＶＧＡ、ＳＶＧＡ又はＸＧＡの解像度が選択されて、表示画面５がズーム釦４ｄを操作する前とは異なるサイズに変更される。
【００４６】
情報処理装置１にあっては、表示画面５の各解像度ごとにオブジェクト６、６、・・・のサイズの設定が可能とされている。
【００４７】
オブジェクト６、６、・・・のサイズの設定は、図５に示すように、所定の操作釦を操作して設定画面８を表示し、該設定画面８に表示されるオブジェクト６、６、・・・の各種類ごとのサイズ変更用の設定フレーム８ａ、８ａ、・・・、即ち、アイコン６ａ、スクロールバー６ｂ、タイトルバー６ｃ、メニューバー６ｄ等の設定フレーム８ａ、８ａ、・・・を操作することにより行う。
【００４８】
尚、情報処理装置１にあっては、設定画面８に表示されるオブジェクト６、６、・・・の各種類ごとのフォント変更用の設定フレーム８ｂ、８ｂ、・・・を操作することにより、各オブジェクト６、６、・・・上や各オブジェクト６、６、・・・に付随して表示される文字のフォントサイズの設定を行うことも可能である。
【００４９】
図６は、オブジェクト６、６、・・・のサイズの変更に関係する各部の構成を示すブロック図である。
【００５０】
ディスプレイ３は描画制御部９によって制御され、描画制御部９は、例えば、ＯＳ（オペレーティングシステム）である。描画制御部９はディスプレイ３に関する全般的な制御、例えば、表示画面５の解像度の変更やオブジェクト６、６、・・・のサイズの変更等を実行する。
【００５１】
従って、ズーム釦４ｄが操作されると、描画制御部９によって表示画面５の解像度の変更処理が行われる（解像度変更工程）。
【００５２】
描画制御部９は入力制御部１０からの指令に基づいて各種の処理を実行する。入力制御部１０は、例えば、ディスプレイ３に表示される図示しない仮想入力用画面、各操作釦４、４、・・・、外付けのハードウェアキーボード等が該当する。
【００５３】
オブジェクト６、６、・・・のサイズの設定はサイズ設定部１１において行われる。サイズ設定部１１は、ユーザーインターフェースを有するソフトウエアである。入力制御部１０を用いて使用者によりオブジェクト６、６、・・・のサイズの設定の入力が行われると、描画制御部９から入力されたサイズの設定値がサイズ設定部１１に出力され、サイズ設定部１１によって表示画面５の各解像度ごとのオブジェクト６、６、・・・のサイズの設定が行われる（サイズ設定工程）。
【００５４】
サイズ設定部１１によって設定されたサイズ設定値は、レジストリー１２に入力されて一元管理される。
【００５５】
レジストリー１２に入力されたオブジェクト６、６、・・・のサイズ設定値は、表示画面５の解像度が変更されたときに、変更された解像度に対して設定された値がオブジェクト変更処理部１３に出力される。オブジェクト変更処理部１３は、オブジェクト６、６、・・・のサイズの変更処理を実行するソフトウエアである。
【００５６】
一方、ズーム釦４ｄ（入力制御部１０）が操作されたときには、描画制御部９から処理部制御部１４に対して表示画面５の解像度の変更に関するイベントが通知される。処理部制御部１４は常駐のアプリケーションソフトウエアである。処理部制御部１４に対してイベントが通知されると、処理部制御部１４によってオブジェクト変更処理部１３が起動され、処理部制御部１４からオブジェクト変更処理部１３に対してオブジェクト６、６、・・・のサイズの変更メッセージが送出される。
【００５７】
オブジェクト変更処理部１３は、処理部制御部１４からの変更メッセージに基づいて、表示画面５の変更された解像度の値を取得すると共に取得した値に対応するサイズ設定値をレジストリー１２から読み出し、読み出したサイズ設定値に基づいてオブジェクト６、６、・・・のサイズの変更処理を行う。
【００５８】
サイズの変更処理に関する通知がオブジェクト変更処理部１３から描画制御部９に対して行われ、該描画制御部９によって表示画面５の解像度に対応して設定されたサイズでオブジェクト６、６、・・・がディスプレイ３に表示される（オブジェクト表示工程）。
【００５９】
尚、上記には、オブジェクト６、６、・・・のサイズの変更処理について説明したが、オブジェクト６、６、・・・のフォントの変更処理についてもサイズの変更処理と同様にして行われる。
【００６０】
以上に記載した通り、情報処理装置１にあっては、表示画面５の解像度が変更されたときに、各解像度に対して使用者により設定されたサイズのオブジェクト６、６、・・・がディスプレイ３に表示される。
【００６１】
従って、表示画面５の解像度の変更時の都度、表示画面５の解像度の変更操作とは別の操作を行ってオブジェクト６、６、・・・のサイズの変更を行う必要がなく、見た目に違和感のない適正なサイズのオブジェクト６、６、・・・を手間をかけずにディスプレイ３に表示することができ、情報処理装置１の使い勝手の向上を図ることができる。
【００６２】
上記のように、情報処理装置１においては、使用者により表示画面５の各解像度に対して設定されたオブジェクト６、６、・・・のサイズの変更が表示画面５の解像度の変更時にその都度行われるが、使用者によるオブジェクト６、６、・・・のサイズの設定が行われていない場合には、予め設定されているオブジェクト６、６、・・・のサイズのデフォルト値が読み出されて、以下のようにして、オブジェクト６、６、・・・の表示が行われる（図７参照）。
【００６３】
レジストリー１２には、表示画面５の各解像度に対して設定されたオブジェクト６、６、・・・のサイズのデフォルト値が入力されている。
【００６４】
ズーム釦４ｄ（入力制御部１０）が操作されると、描画制御部９によって表示画面５の解像度の変更処理が行われる（解像度変更工程）。
【００６５】
また、ズーム釦４ｄ（入力制御部１０）が操作されたときには、描画制御部９から処理部制御部１４に対して表示画面５の解像度の変更に関するイベントが通知される。
【００６６】
処理部制御部１４に対してイベントが通知されると、処理部制御部１４によってオブジェクト変更処理部１３が起動され、処理部制御部１４からオブジェクト変更処理部１３に対してオブジェクト６、６、・・・のサイズの変更メッセージが送出される。
【００６７】
オブジェクト変更処理部１３は、処理部制御部１４からの変更メッセージに基づいて、表示画面５の変更された解像度の値を取得すると共に取得した値に対応するデフォルト値をレジストリー１２から読み出し、読み出したデフォルト値に基づいてオブジェクト６、６、・・・のサイズの変更処理を行う。
【００６８】
サイズの変更処理に関する通知がオブジェクト変更処理部１３から描画制御部９に対して行われ、該描画制御部９によって表示画面５の解像度に対応したデフォルト値のサイズでオブジェクト６、６、・・・がディスプレイ３に表示される（オブジェクト表示工程）。
【００６９】
このように表示画面５の各解像度ごとのオブジェクト６、６、・・・のサイズの設定がされていない場合には、表示画面５の各解像度ごとに定められたサイズのオブジェクト６、６、・・・が自動的に表示されるため、使用者によるオブジェクト６、６、・・・の設定操作を省略することができる。
【００７０】
尚、情報処理装置１にあっては、ディスプレイ３に表示される表示画面５を接続コネクター１５を用いて外部の表示装置に出力することができる。
【００７１】
接続コネクター１５は、図８に示すように、情報処理装置１に接続されるコネクター部１５と、外部の表示装置に接続される外用コネクター部１７と、コネクター部１５と外用コネクター部１７とを連結するケーブル１８とから成る。
【００７２】
接続コネクター１５のコネクター部１５には、表示画面５の出力先を切り替えるための切替釦１６ａが設けられている。切替釦１６ａを操作することにより、表示画面５の出力先が情報処理装置１のディスプレイ３又は外部の表示装置に切り替えられる。
【００７３】
切替釦１６ａが操作されたときの切替制御は、以下のようにして行われる。
【００７４】
切替釦１６ａの操作状態は、制御装置（ＥＣ）１１７によって常時監視されており、切替釦１６ａが操作されると、制御装置１１７からメッセージを制御するメッセージ制御ドライバーに画面出力先の変更メッセージが送信される。メッセージ制御ドライバーは受信したメッセージに基づいてビデオドライバーに対して出力先を変更する変更メッセージを送信する。ビデオドライバーは受信した変更メッセージに基づいて表示画面５の出力先を情報処理装置１のディスプレイ３又は外部の表示装置に切り替える。
【００７５】
上記のように、接続コネクター１５に表示画面５の出力先を切り替えるための切替釦１６ａを設けることにより、表示画面５の出力先の切替を、情報処理装置１において出力先の切替画面を表示して行うというような面倒な操作の必要がなくなり、操作性の向上を図ることができる。
【００７６】
また、情報処理装置１とは別体の接続コネクター１５に切替釦１６ａを設けることにより、情報処理装置１のスペースを有効に活用することができ、情報処理装置１の小型化に寄与する。
【００７７】
尚、上記には、接続コネクター１５のコネクター部１６に切替釦１６ａを設けた例を示したが、これに代えて、切替釦を外用コネクター部１７に設けるようにしてもよい。
【００７８】
また、接続コネクター１５以外の接続用のデバイス、例えば、パラレルポート、シリアルポート、ＵＳＢ（Universal Serial Bus）ポート等の各種のポートが設けられたポートリプリケーターやドッキングステーション等の外部接続デバイスに表示画面５の出力先を切り替えるための切替釦を設けてもよい。
【００７９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８０】
【図１】図２乃至図８と共に本発明の最良の形態を示すものであり、本図は情報処理装置の斜視図である。
【図２】情報処理装置のハードウェア構成例を示したブロック図である。
【図３】表示画面の一例を示す拡大正面図である。
【図４】解像度選択フレームが表示された状態を示す情報処理装置の正面図である。
【図５】オブジェクトのサイズを変更する設定画面が表示された状態を示すディスプレイの拡大正面図である。
【図６】オブジェクトのサイズの変更に関係する各部の構成を示すブロック図である。
【図７】使用者によるオブジェクトのサイズの設定が行われていない場合におけるオブジェクトのサイズの変更に関係する各部の構成を示すブロック図である。
【図８】接続コネクターの拡大斜視図である。
【符号の説明】
【００８１】
１…情報処理装置、３…ディスプレイ、５…表示画面、６…オブジェクト
【図１】
2005316828.tif 000003
【図２】
2005316828.tif 000004
【図３】
2005316828.tif 000005
【図４】
2005316828.tif 000006
【図５】
2005316828.tif 000007
【図６】
2005316828.tif 000008
【図７】
2005316828.tif 000009
【図８】
2005316828.tif 000010